【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
特定のプロトコルで通信可能な装置に関する情報を登録して管理する情報サービス装置へ、登録対象の装置としてのストレージ装置に関する情報を提供するための処理を行う記憶領域の管理方法において、
ストレージ装置は、一意な識別子を持つ記憶領域と、ネットワーク内で一意に割り当てられるネットワークアドレスを持つネットワークインタフェースと、該記憶領域と該ネットワークインタフェースの対応関係を保持し、該ネットワークを介して受ける要求に応じて、該対応関係の送信又は更新を実行するステップと、
該ストレージ装置の構成を管理する管理サーバは、該ストレージ装置から、ネットワークインタフェースのネットワークアドレスと、該記憶領域と該ネットワークインタフェースの該対応関係を取得するステップと、
該情報サービス装置が持つデータベースに登録するために、該管理サーバは、該記憶領域の識別子と、該ネットワークインタフェースのネットワークアドレスに関連する記憶領域と該ネットワークインタフェースの該対応関係を登録するための要求を該情報サービス装置へ送信するステップと、
を有する記憶領域の管理方法。
【請求項２】
該記憶領域は、該ストレージ装置に形成される、論理的に定義されたボリュームであり、かつ該ストレージ装置は、iSCSIプロトコルを用いてホストコンピュータからアクセスされるものであり、
該情報サービス装置は、管理データベース又はiSNSサーバであり、
該情報サービス装置と該管理サーバとはiSNSプロトコルで通信されることを特徴とする請求項１記載の記憶領域の管理方法。
【請求項３】
前記管理サーバから記憶領域の作成あるいは削除を、該ストレージ装置に要求したときに、作成あるいは削除した記憶領域の識別子を含む記憶領域の登録あるいは削除の要求を該ストレージ装置が該情報サービス装置へ送信することを特徴とする請求項1又は２記載の記憶領域の管理方法。
【請求項４】
該管理サーバから記憶領域とネットワークインタフェースの対応関係の作成あるいは削除を該ストレージ装置に要求したときに、作成あるいは削除した該対応関係に含まれる記憶領域の識別子と、ネットワークインタフェースのネットワークアドレスを含む、該記憶領域とネットワークインタフェースの該対応関係の登録あるいは削除の要求を該ストレージ装置が該情報サービス装置へ送信することを特徴とする請求項1乃至３のいずれかに記載の記憶領域の管理方法。
【請求項５】
該ストレージ装置は、該記憶領域とネットワークインタフェースの組み合わせと、ホストコンピュータの識別子の対応関係を保持し、
該情報サービス装置は、該記憶領域の識別子とホストコンピュータの識別子の集合を保持し、
該管理サーバから、該記憶領域とネットワークインタフェースの組み合わせと、該ホストコンピュータの識別子の対応関係の作成を該ストレージ装置に要求したときに、
作成した対応関係に含まれる記憶領域の識別子と、ホストコンピュータの識別子を該情報サービス装置の該データベースが保持する同じ集合に所属させる要求を該管理サーバから該情報サービス装置へ送信することを特徴とする請求項1乃至４のいずれかに記載の記憶領域の管理方法。
【請求項６】
該情報サービス装置の該データベースの更新の要求を該管理サーバから送信することを特徴とする請求項1乃至５のいずれかに記載の記憶領域の管理方法。
【請求項７】
該管理サーバは、該記憶領域とその名称の対応関係を保持する手段と、前記名称を変更する手段を持ち、
該記憶領域の識別子とその名称を含む記憶領域の登録の要求を該情報サービス装置へ送信することを特徴とする請求項1乃至６のいずれかに記載の記憶領域の管理方法。
【請求項８】
該管理サーバは、該情報サービス装置の該データベースに登録された情報が削除される期限を保持し、
該保持された削除の期限と現在の時刻を比較して、該期限の前に該データベースに情報を再登録することを特徴とする請求項６の記憶領域の管理方法。
【請求項９】
該データベースがSLP Directory Agentとして構成され、
該情報サービス装置と該管理サーバはSLPで通信することを特徴とする請求項８の記憶領域の管理方法。
【請求項１０】
ネットワークを通して提供される、特定のプロトコルで通信可能な装置に関する情報を管理する情報サービス装置に対して、ストレージ装置に関する情報を反映するための処理を行うストレージ装置の記憶領域情報の管理方法において、
該ストレージ装置の構成変更の内容を、該ネットワークを介して該情報サービス装置へ送信する第1モードと、
該ストレージ装置に、論理的に領域が定義されるボリュームを作成した場合、該作成したボリュームのiSCSIネームを少なくとも含む情報を、該ネットワークを介して該情報サービス装置へ送信する第2のモードと、
該ストレージ装置にLUNを作成した場合、該作成したLUNのボリュームとポートの対応関係を含む情報を、該ネットワークを介して該情報サービス装置へ送信する第3のモードと、
を有することを特徴とする記憶領域情報の管理方法。
【請求項１１】
更に、該ストレージ装置からボリュームを削除した場合、該ボリュームに対応するストレージノードの登録を該情報サービス装置から削除する要求を、該ネットワークを介して送信するステップと、
あるボリュームのLUN maskingを設定して、ホストコンピュータに割り当てるとき、iSNSプロトコルが用いられる環境においては、割り当てたボリュームと該ホストコンピュータが同じディスカバリドメインに所属するようにドメインの構成を変更するステップと、
を有することを特徴とする請求項１０記載の記憶領域情報の管理方法。
【請求項１２】
SLPが用いられる環境においては、割り当てたボリュームを表すサービスの属性値に、ホストコンピュータのiSCSIネームを登録することを特徴とする請求項１０記載の記憶領域情報の管理方法。
【請求項１３】
iSNSの登録周期及びSLPのLifetimeの指定に応じて周期的にオブジェクトやサービスを登録し、登録内容が期限切れとならないように維持することを特徴とする請求項１０又は１２記載の記憶領域情報の管理方法。
【請求項１４】
特定のプロトコルで通信可能な装置に関する情報を管理しネットワークを介して該情報を提供するiSNSサーバに対して提供される、複数のストレージ装置の記憶領域に関する情報を管理サーバで処理して管理する記憶領域の管理方法において、
該ストレージ装置は、一意な識別子を持つ記憶領域と、ネットワーク内で一意に割り当てられるネットワークアドレスを持つネットワークインタフェースと、該記憶領域と該ネットワークインタフェースの対応関係と、iSNSクライアント機能を持つか否かを示す情報を保持し、該ネットワークを介して受ける要求に応じて、該対応関係の送信又は更新を実行するステップと、
該管理サーバは、iSNSクライアント機能を持つストレージ装置及び該iSNSクライアント機能を持たないストレージ装置との間で、該ストレージ装置の構成に関する情報を通信するステップと、
該ストレージ装置から、ネットワークインタフェースのネットワークアドレスと、該記憶領域と該ネットワークインタフェースの対応関係と、iSNSクライアント機能を持つか否かを示す情報を取得するステップと、
取得した該iSNSクライアント機能の有無に関する情報を判定するステップと、
該判定の結果、該iSNSクライアント機能を持つ該ストレージ装置に対しては、該iSNSサーバのアドレスを登録するステップと、
該判定の結果、該iSNSクライアント機能を持たない該ストレージ装置に対しては、該ストレージ装置の記憶領域の名称およびネットワークインタフェースに対するポート名称の編集を行う編集処理ステップと、
該記憶領域の識別子と、対応するネットワークインタフェースのネットワークアドレスを含む記憶領域と該ネットワークインタフェースの対応関係を登録するための要求を該情報サービス装置へ送信するステップと、を有することを特徴とする記憶領域の管理方法。
【請求項１５】
ネットワークを通して提供するために、特定のプロトコルで通信可能な装置に関する情報をデータベースに登録して管理する情報サービス装置における登録管理方法において、
ストレージ装置を管理する管理サーバからネットワークを介して送信される、該ストレージ装置の構成変更の内容を該データベースに登録するステップと、
該管理サーバから該ネットワークを介して送信される、該ストレージ装置に作成された論理的に定義されたボリュームのiSCSIネームを少なくと含む情報を該データベースに登録するステップと、
該管理サーバから該ネットワークを介して送信される、該ストレージ装置に作成されたLUNのボリュームとポートの対応関係を含む情報を該データベースに登録するステップと、
該管理サーバから該ネットワークを介して送信される要求に従って、ストレージ装置から削除された該ボリュームに関する情報を、該データベースから削除するステップと、
を含むことを特徴とする登録管理方法。
【請求項１６】
ストレージ装置を管理すると共に、iSCSIプロトコルで通信可能な装置に関する情報を登録するiSNSサーバへストレージ装置の構成に関する情報を提供するストレージ関連情報の管理システムにおいて、
ホストコンピュータに利用されるために作成される、論理的に定義されたそれぞれ一意な識別子を持つ複数のボリュームと、ネットワーク内で一意に割り当てられるIPアドレスを持つネットワークインタフェースと、該ボリュームと該ネットワークインタフェースの対応関係を格納するメモリとを有し、該ネットワークを介して受ける要求に応じて該対応関係の送信又は更新を実行するストレージ装置と、
管理対象とするストレージ装置のIPアドレスとTCPポート番号及びネットワーク内のiSCSIデバイスに一意な識別子、及び該iSNSサーバのIPアドレスを格納するメモリと、該ストレージ装置を管理するための管理プログラムを実行するCPUとを有する管理サーバと、を含み、
該ＣＰＵは、
管理対象としてストレージ装置が追加される場合、追加される該ストレージ装置のアドレスとポート番号を選択し、かつ、該iSNSサーバのIPアドレスを該ストレージ装置へ送信して登録するように要求し、該ストレージ装置の該iSNSアドレスに登録されたら、該ストレージ装置が持つポートID及びIPアドレスを含む情報を該iSNSサーバへ送信する処理と、
ストレージ装置内にボリュームが作成され又は削除される場合、該ストレージ装置に対して該ボリュームの作成又は削除を要求すると共に、該iSNSサーバへ該ボリュームの作成又は削除を要求する処理と、
LUN maskingが設定される場合、対象とするストレージ装置へLUN maskingの設定を要求すると共に、
ボリュームと該ボリュームを割り当てられたホストコンピュータが同じディスカバリドメインに属するようにドメインのＩＤを指定して、該iSNSサーバへ該LUN maskingの設定を要求する処理と、
を実行することを特徴とするストレージ関連情報の管理システム。
【請求項１７】
コンピュータシステムにおいて、
複数の記憶領域と複数のポートを持つストレージシステムと、
ＩＰネットワークを介して該ストレージシステムに接続され、ＩＰネットワークにおける複数のポータルと複数のストレージノードの関係を管理するｉＳＮＳサーバと、を有し、
該ストレージシステムは、複数の記憶領域の構成が変更される場合、該ｉＳＮＳサーバへ複数の記憶領域の構成情報を含むコマンドを送り、
複数の該ポータルと複数の該ノードとの関係を複数の該記憶領域の構成に同期させるために、該ｉＳＮＳサーバが該ＩＰネットワークを介して該ストレージシステムからコマンドを受けた時、該ｉＳＮＳサーバは該ストレージシステムから送られた構成情報に基づく複数の該ストレージノードと複数の該ポータルの関係を変更することを特徴とするコンピュータシステム。
【請求項１８】
該ポータルはＩＰネットワークにおけるＩＰアドレスが割り当てられ、
該ストレージノードはｉＳＣＳＩネームによって定義されており、
複数の記憶領域のうち第１の記憶領域と複数の該ポートのうちの第１のポートが変更されるべき対象である場合、該コマンドは、該構成情報として該第１のポートの第１のＩＰアドレスと、該第１の記憶領域の第１のｉＳＣＳＩネームの情報を含み、
該ｉＳＮＳサーバは、第１のポータルとして該第１のＩＰアドレスと、第１のストレージノードとして該ｉＳＣＳＩネームの関係を変更することを特徴とする請求項１７のコンピュータシステム。
【請求項１９】
該ｉＳＮＳサーバは、複数の該ポータルと複数の該ストレージノードの関係を記憶するテーブルを有し、かつ、該第１の記憶領域が該ストレージシステムから削除された場合、該ｉＳＮＳサーバは該テーブルから該第１のポータルと該第１のストレージノードとの関係の情報を削除し、
かつ、該第１の記憶領域が該ストレージシステムで作成された場合、該ｉＳＮＳサーバは、該第１のポータルと該第１のストレージノードの関係の情報を追加することを特徴とする請求項１８のコンピュータシステム。
【請求項２０】
該ストレージシステムの複数の記憶領域の構成を変更するために、該ストレージシステムに命令するための情報を送信する、該ストレージシステムに接続された管理コンピュータを更に有し、
かつ、複数の各記憶領域は、該ストレージシステムにおける論理ユニット番号によって特定されることを特徴とする請求項１９のコンピュータシステム。